(57)【特許請求の範囲】
【請求項１】
工作機械の周囲を囲う為の安全フェンスにおいて、パネル下端側縁にアジャスターを有して適当な高さに起立すると共に、床面に固定したブラケットにて該パネル下端部をネジ止めし、各パネルの一方の垂直に屈曲した側片にはＬ型をしたツメを取着すると共に他方のＬ型に屈曲した側片にはスリット溝を形成し、該ツメを隣りのパネル側片のスリット溝に係合して側片同士を当接することでパネルを連結し、そして各パネルの上端にはコ型断面の繋ぎを被覆して連結し、そして所定の間隔をおいて対向するパネル上端の繋ぎ間には補強桟を掛架したことを特徴とする工作機械を囲う安全フェンス。
【請求項２】
一部に入口ドアを有して工作機械の周囲を囲う為の安全フェンスにおいて、パネル下端側縁にアジャスターを有して適当な高さに起立すると共に、床面に固定したブラケットにて該パネル下端部をネジ止めし、各パネルの一方の垂直に屈曲した側片にはＬ型をしたツメを取着すると共に他方のＬ型に屈曲した側片にはスリット溝を形成し、該ツメを隣りのパネル側片のスリット溝に係合して側片同士を当接することでパネルを連結し、そして所定のパネル側端にはスタッドを取付けし、両スタッド間には門型枠体を嵌めて縦桟に取着したＬ型をしたツメをスタッドのスリット溝に係合し、該縦桟には蝶番を介してドアを開閉可能に装着し、さらに各パネルの上端にはコ型断面の繋ぎを被覆して連結し、そして所定の間隔をおいて対向するパネル上端の繋ぎ間には補強桟を掛架したことを特徴とする工作機械を囲う安全フェンス。
【発明の詳細な説明】
【０００１】
【発明の属する技術分野】
本発明は工作機械を囲う為に周囲に起立して設ける安全フェンスに関するものである。
【０００２】
【従来の技術】
マシニングセンター等の工作機械の周囲には安全フェンスが起立し、加工中に発生する様々な事故を防止する上で効果がある。例えば、近年の工作機械はコンピュータを備えた自動運転が行われる為に、作業者が工作機械と常時対面して作業する必要がない。工具が磨耗したり損傷した場合に交換する作業、又テーブル面に材料を取付けたり、テーブルから取外す作業など、補助的な作業に限られる。
【０００３】
このように、完全制御された工作機械は自動運転にて材料を所定の形状に切削加工する事が出来る訳であるが、加工に伴って周囲には切り粉又は切り屑が飛び散り、時には工具が損傷して一部が飛び散る等の危険は残されている。作業者が常時工作機械と対面して作業している場合であれば、このような事態を察知して解消できることもあるが、全く知らない作業者が近くに居たり、近くを通過する際にケガをするといった事がある。
【０００４】
その為に、特に完全自動運転される工作機械では、安全フェンスが周囲を覆うように起立している。ところで、従来の安全フェンスは複数枚のパネルを起立し、各パネルは互いに連結しているが、パネル下端は床に固定している概略Ｌ型のブラケットにネジ止めされ、隣り合うパネル同士はネジ止めにて連結されている。又パネルは床面から所定の高さに支持する為に、下端にはアジャスターを備えている。
【０００５】
アジャスターはパネル下端両側に設けられるが、パネルが傾かないように調整すると共に床面に固定したブラケットにネジ止めし、さらにパネル同士を連結する作業は面倒であり、しかも据付け工数が大きくなる。一方、工作機械の周囲を安全フェンスで完全に覆うと共に、中に出入りする為のドアを一部に取付ける必要があるが、パネルを連結しただけの安全フェンスではドアの取付けが不便であり、しかも取付けたドアの開閉が安定せず耐久性も損われる。
【０００６】
【発明が解決しようとする課題】
このように工作機械の安全フェンスには上記のごとき問題がある。本発明が解決しようとする課題はこれら問題点であり、据付けが簡単でしかも出入り口となるドアの取付けが容易な安全フェンスを提供する。
【０００７】
【課題を解決する為の手段】
本発明に係る安全フェンスはパネルを配列して工作機械の周囲を覆うように構成するが、本発明では２タイプを有し、その内の１つはスタッドを介してパネルを連結する場合であり、他の１つはスタッドを使用しないでパネル同士を直接連結するタイプである。
【０００８】
スタッドを使用するタイプでは、該スタッドは床に固定したブラケットにネジ止めされて垂直に起立し、そしてスタッド下端には高さ調整の為のアジャスターを取付けている。そしてスタッドの側面にはスリット溝が形成されて、このスリット溝にパネル側端に設けたツメが係合することで取付けられる。
【０００９】
スタットの上端には繋ぎが載って隣り合うスタッドを互いに連結し、そして繋ぎの上には補強桟が載って対向する繋ぎを連結している。そして入口ドアは両スタッド間に嵌って連結した枠体に装着される。枠体もスタッドのスリット溝にツメを係合して取付けられる。
【００１０】
一方、スタッドを使用しないタイプでは、パネル下端側縁にアジャスターを備え、該アジャスター側の側端にはスリット溝を形成し、反対側側端にはツメを設けている。パネルを垂直に起立するブラケットはパネル表面に直接取着され、パネル側端に設けているツメは隣のパネル側端に形成しているスリット溝に係合して連結する。
【００１１】
そしてパネルの上端には繋ぎが載って隣り合うパネルを互いに連結し、繋ぎの上には補強桟が載って対向する繋ぎを連結している。さらに入口ドアはパネル側端にスタッドを連結すると共に両スタッド間に嵌った枠体に装着され、枠体もスタッドのスリット溝にツメを係合して取付けられる。これはスタッドを介してパネルを連結する場合のタイプと同じである。以下、本発明に係る実施例を図面に基づいて詳細に説明する。
【００１２】
【実施例】
図１はマシニングセンターの周囲を安全フェンスで囲った場合を示している。該安全フェンスは複数枚のパネル１，１…から成り、これら各パネル１，１…はマシニングセンターの周囲を覆うように垂直に起立している。又、安全フェンスの２箇所には入口ドア２，２が設けられて内部に入ることが出来る。しかし、安全フェンスの内部は入口ドアから入ることなく、各パネル１，１…に設けている覗き窓３，３…から見ることが可能と成っている。
【００１３】
図２はスタッド４を備えたタイプの安全フェンスの一部正面図であり、スタッド４，４…はアジャスター５，５…にて適当な高さで起立し、スタッド４，４…の上端には繋ぎ６が掛架されて隣り合う各スタッド４，４…を連結している。図３は床面７に起立するスタッド４及び該スタッド４に取付けられるパネル１を示しているが、スタット４の下端にはアジャスター５が取着されて適度な高さに支持され、又転倒しないように床面７に固定したＬ型ブラケット８にスタッド下端部がネジ止めにて止着されている。
【００１４】
そしてスタット４の上端にはコ型断面の繋ぎ６が被覆され、繋ぎ６の上には補強桟９が載ってＬ型止着具１０にて固定されている。繋ぎ６は隣り合う各スタッド４，４…を連結し、補強桟９は対向する繋ぎ６，６に掛架して連結し、従ってスタッド４，４…及び該スタッド４，４…に取付けられるパネル１，１…は安定する。ところで、スタッド４の両側面にはスリット溝が形成され、このスリット溝にパネル側端に設けているツメ１４，１４…が係合して取付けられる。又パネル面に設けている覗き窓３はパネル板がパンチングされて形成されている。
【００１５】
前記図１に示すように、安全フェンスにはドア２が装着されるが、図４は安全フェンスに装着されるドア２を示す縦断面図と正面図である。両スタッド４，４間には両縦桟１２，１２と横桟１３から成る門型の枠体１１が嵌り、縦桟１２，１２にはツメ１４，１４…が固定され、これらツメ１４，１４…はスタッド４の側面に形成したスリット溝に係合する。そしてドア２は該枠体１１の縦桟１２に蝶番を介して開閉可能に装着されている。
【００１６】
図５は安全フェンスの横断面図を示しているが、両スタッド４，４間にはパネル１が取付けられる。パネル１の両側端は垂直に屈曲して側片１５，１５が形成され、該側片１５，１５にはＬ型断面をしたツメ１４，１４…の基部が溶接され、先端はスタッドに形成しているスリット溝に嵌って係合している。この場合、パネル側片１５，１５はスタッド側面に接して安定した取付けが出来、そしてスタッド正面とパネル面は段差のない同一面と成っている。
【００１７】
そして、枠体１１の縦桟１２にも、パネル側片１５に固定したと同じツメ１４が固定され、該ツメ１４の先端はスタッドに形成したスリット溝に嵌って係合する。そして縦桟１２に取着した蝶番１６にドア２が取付けられて開閉することが出来る。ここで、縦桟１２及び横桟１３の断面形状は特に限定しないが、図４、図５に示すように、ドア２を閉じた際に戸当りとなるような形状とすることが出来る。
【００１８】
図６はスタッド４，４…の上端に載って連結する為の繋ぎ１７の別形態を示している。この繋ぎ１７の上には補強桟９が載って固定されているが、補強桟９を固定する為の止着具１０は繋ぎ１７にネジ止めされる。繋ぎ１７にはネジ頭１８が嵌合する溝が連続して形成され、上記補強桟９を任意の位置で固定する為に止着具１０を溝に沿って適当な位置に移動してネジ止めすることが出来る。
【００１９】
図７に示す実施例は、スタッド４，４…の上端に載って連結する為の繋ぎ１９の別形態であり、補強桟９をネジ止めする為の止着具１０が任意の位置へ移動可能なように溝を有している点は、前記図６に示す実施例と同じである。しかし、この繋ぎ１９は補強桟９の端面をカバーする為の表面材２０を一体化して形成している。
【００２０】
ところで、本発明の安全フェンスはパネル１，１…間にスタッド４，４…を介在しない場合もあり、この場合には各パネル同士が直接連結される。
図８はスタッド４を用いないタイプの安全フェンスの一部正面図であり、パネル１，１はアジャスター５，５にて適当な高さで起立し、パネル側端から突出しているツメが隣のパネル側端に形成したスリット溝に係合することで互いに連結している。そしてパネル１，１の上端には繋ぎ６が載って連結されている。図９は床面７に起立するパネル１，１の連結形態を示しているが、パネル１の下端にはアジャスター５が取着されて適度な高さに支持され、又転倒しないように床面７に固定したＬ型ブラケット８にパネル下端部がネジ止めにて止着されている。
【００２１】
そしてパネル１の上端にはコ型断面の繋ぎ６が被覆され、繋ぎ６の上には補強桟９が載ってＬ型止着具１０にて固定されている。繋ぎ６は隣り合う各パネル１，１…を連結し、補強桟９は対向する繋ぎ６，６に掛架して連結し、従ってパネル１，１…は安定して起立することが出来る。ところで、パネル１の一方側側端にはツメ１４，１４が突出して取着され、このツメ１４，１４は隣りのパネル側端に形成しているスリット溝にツメ１４，１４…が係合することで互いに連結している。
【００２２】
図１０には安全フェンスの横断面図を示しているが、パネル１，１…は側端に形成したツメ１４，１４…及びスリット溝を介して互いに連結される。パネル１の両側端は垂直に屈曲して側片１５ａ，１５ｂが形成され、一方の側片１５ａにはＬ型断面をしたツメ１４，１４…の基部が溶接され、他方の側片１５ｂにはスリット溝が形成されている。従って一方側のツメ１４，１４が隣り合うパネル側端の他方側のスリット溝に係合することで互いに連結することが出来る。そしてパネル１，１は一直線状に連結する場合だけでなく、側片１５ｂはＬ型に屈曲している為に、同図に示すごとく両パネル１，１を垂直に繋ぐことも可能である。
【００２３】
図１１は安全フェンスに装着されるドア２を示す縦断面図と正面図である。パネル１，１の側端に連結して起立した両スタッド２１，２１間には両縦桟１２，１２と横桟１３から成る門型の枠体１１が嵌り、縦桟１２，１２にはツメ１４，１４…が固定され、これらツメ１４，１４…はスタッド２１，２１の側面に形成したスリット溝に係合する。そしてドア２は該枠体１１の縦桟１２に蝶番１６を介して開閉可能に装着されている。
【００２４】
図１２は装着したドアの横断面を示しているが、枠体１１の縦桟１２にも、パネル側片１５に固定したと同じツメ１４が固定され、該ツメ１４の先端はスタッドに形成したスリット溝に嵌って係合する。そして縦桟１２に取着した蝶番１６にドア２が取付けられて開閉することが出来る。
【００２５】
以上述べたように、本発明の安全フェンスは垂直に起立するパネルの側端にツメを設け、該ツメを隣り合うパネル又はスタッドに形成したスリット溝に係合することで連結したのであり、次のような効果を得ることが出来る。
【００２６】
【発明の効果】
本発明の安全フェンスはパネルを垂直に起立し、パネル同士を互いに連結したりスタッドを介して連結して構成する。パネルは側端に設けたツメを隣り合うパネル又はスタッドに形成したスリット溝に嵌めて係合する為に、フェンスの据付け作業は簡単で、しかも据付け工数は小さくなる。そして、両スタッド間に入口ドアを装着することも容易であり、スタッド間には門型の枠体を嵌めて取付け、該枠体にドアが装着される。
【００２７】
そしてパネル側端には表面に対して垂直に屈曲した側片を有し、該側片が隣り合うパネルの側片又はスタッド側面に当接した状態でツメが係合する為に、パネル同士又は該パネルとスタッド間には隙間が無く安定した取付けが出来る。さらにパネルの上端には繋ぎが被覆すると共に、対向する繋ぎは補強材にて連結される為にパネル上端は安定し、頑強な安全フェンスとなる。
【図面の簡単な説明】
【図１】マシニングセンターの周囲に据付けた安全フェンス。
【図２】安全フェンスの一部正面図。
【図３】安全フェンスのスタッド部における縦断面図と正面図。
【図４】フェンスの一部に装着されるドアの断面図と一部正面図。
【図５】安全フェンスの横断面図。
【図６】スタッド上端を連結する繋ぎの別形態。
【図７】スタッド上端を連結する繋ぎの別形態。
【図８】安全フェンスの一部正面図。
【図９】安全フェンスの縦断面図と一部正面図。
【図１０】安全フェンスの横断面図。
【図１１】フェンスの一部に装着されるドアの断面図と一部正面図。
【図１２】安全フェンスの入口ドアの横断面図。
【符号の説明】
１  パネル
２  ドア
３  覗き窓
４  スタッド
５  アジャスター
６  繋ぎ
７  床面
８  ブラケット
９  補強桟
10  止着具
11  枠体
12  縦桟
13  横桟
14  ツメ
15  側片
16  蝶番
17  繋ぎ
18  ネジ頭
19  繋ぎ
20  表面材
21  スタッド
【図１】
0003772224.tif 000002
【図２】
0003772224.tif 000003
【図３】
0003772224.tif 000004
【図４】
0003772224.tif 000005
【図５】
0003772224.tif 000006
【図６】
0003772224.tif 000007
【図７】
0003772224.tif 000008
【図８】
0003772224.tif 000009
【図９】
0003772224.tif 000010
【図１０】
0003772224.tif 000011
【図１１】
0003772224.tif 000012
【図１２】
0003772224.tif 000013